(57)【特許請求の範囲】
【請求項１】
フレーム部材で構成される複数の面を有する枠体と、前記複数の面のうち前記枠体の１つの矩形状の開口部に設けた板状の扉体と、残る前記各面を覆う板状のカバー部材とを備え、内部に機器を収納するキャビネットであって、
前記開口部における両側のフレーム部材の間に掛け渡された状態で固定される少なくとも１つの掛渡フレームを備え、
前記掛渡フレームを前記開口部に固定する固定構造は、前記開口部の両側のフレーム部材又は前記掛渡フレームの両端部のいずれか一方に設けた一対の突起部と、前記開口部の両側のフレーム部材又は前記掛渡フレームの両端部のいずれか他方に設けた一対の係合部とを備え、前記掛渡フレーム側の前記突起部又は前記係合部を前記開口部側の前記係合部又は前記突起部に係合させて固定する構造であり、
前記扉体は前記掛渡フレームに一体に固定されており、
前記固定構造によって前記掛渡フレームを前記開口部に固定することで、前記扉体が前記両側のフレーム部材に対向し該掛渡フレーム下方の前記開口部の少なくとも一部を覆って装着されることを特徴とするキャビネット。
【請求項２】
請求項１に記載のキャビネットにおいて、
前記固定構造は、前記開口部の両側のフレーム部材に設けた一対の突起部と、前記掛渡フレームの両端部に設けた一対の係合部とで構成され、
前記係合部は、前記掛渡フレームの端部に形成された凹状溝部からなることを特徴とするキャビネット。
【請求項３】
請求項１又は２に記載のキャビネットにおいて、
前記掛渡フレームは、その長手方向に沿う少なくとも２つの面を有するアングル材であることを特徴とするキャビネット。
【請求項４】
請求項１乃至３のいずれか１項に記載のキャビネットにおいて、
前記扉体は、前記開口部を覆う本体部と、該本体部の面と交差する方向に突出する固定用突出部とを備え、該固定用突出部を前記掛渡フレームに固定することにより、前記扉体と前記掛渡フレームは一体となっていることを特徴とするキャビネット。
【請求項５】
請求項１乃至４のいずれか１項に記載のキャビネットにおいて、
前記扉体と前記掛渡フレームはそれぞれ別部品として構成されていることを特徴とするキャビネット。
【請求項６】
請求項１乃至５のいずれか１項に記載のキャビネットにおいて、
前記扉体は、前記開口部の前記掛渡フレームから下側の部分を覆う下扉であり、前記開口部の前記掛渡フレームから上側の部分を覆う板状の上扉をさらに備えることを特徴とするキャビネット。
【請求項７】
請求項１乃至６のいずれか１項に記載のキャビネットと、前記キャビネットの収納部に収納されたポンプ及び配管類とを備えることを特徴とする給水装置。
【発明の詳細な説明】
【技術分野】
【０００１】
本発明は、水道の水を集合住宅やビルなどの給水場所へ給水する給水装置に用いて好適なキャビネット、及び該キャビネットを備えた給水装置に関する。
【背景技術】
【０００２】
この種の給水装置としては、例えば水道本管に接続され、水道本管からの水道水をポンプで所定の水圧に加圧して集合住宅やビルなどの末端の需要場所に給水するものがある。この給水装置は、ポンプと、ポンプに接続された配管類と、配管類に取り付けられた圧力センサや各種弁や圧力タンクなどの機器とを備えている。また、ポンプを駆動するモータと、該モータに電力を供給する駆動電源であるインバータ装置と、ポンプの運転を制御する制御盤とを備え、これらインバータ装置や制御盤は、上記ポンプや配管類などの機器と共にキャビネット（ハウジング）内に収容されている。
【特許文献１】特開２００５−５４７３０号公報
【発明の開示】
【発明が解決しようとする課題】
【０００３】
ところで、上記のような給水装置のキャビネットは、前面に開口部を有している。そして、開口部に取り付ける扉体は、開口部の周囲のフレーム部材に対してビス止めなどの固定手段で固定されていた。ところが、扉体を着脱する際に工具が必要であったり、着脱の手順が煩雑であったりすると、ポンプを緊急に停止させる場合などに、扉体を容易且つ迅速に取り外すことができないという問題があった。また、扉体を容易に着脱できないと、給水装置のメンテナンスに手間がかかるという問題もあった。
【０００４】
また、キャビネットの開口部には、枠体の歪みなどを防止するための掛渡フレーム（補強用フレーム）が取り付けられている。この掛渡フレームは、開口部の左右のフレーム部材間に水平に掛け渡された細板状の部材からなる。キャビネット内のポンプや配管類を取り出す際には、この掛渡フレームを取り外す必要がある。ところが、従来の掛渡フレームは、開口部の左右のフレーム部材にビス止めで固定されていた。そのため、掛渡フレームの取り外しに手間がかかり、ポンプなどの取り出し作業の効率が良くなかった。特に、ポンプなどを取り出す際には、扉体と掛渡フレームとをそれぞれ別の工程で取り外す必要があり、作業の効率が悪かった。
【０００５】
本発明は上述の点に鑑みてなされたもので、扉体や掛渡フレームの着脱を容易且つ迅速に行うことができ、収納した機器のメンテナンス性を向上させることができるキャビネット、及び該キャビネットを備えた給水装置を提供することを目的とする。
【課題を解決するための手段】
【０００６】
上記課題を解決するため本発明のキャビネットは、フレーム部材で構成される複数の面を有する枠体と、前記複数の面のうち前記枠体の１つの矩形状の開口部に設けた板状の扉体と、残る前記各面を覆う板状のカバー部材とを備え、内部に機器を収納するキャビネットであって、開口部における両側のフレーム部材の間に掛け渡された状態で固定される少なくとも１つの掛渡フレームを備え、掛渡フレームを開口部に固定する固定構造は、開口部の両側のフレーム部材又は掛渡フレームの両端部のいずれか一方に設けた一対の突起部と、開口部の両側のフレーム部材又は掛渡フレームの両端部のいずれか他方に設けた一対の係合部とを備え、掛渡フレーム側の突起部又は係合部を開口部側の係合部又は突起部に係合させて固定する構造であり、扉体は掛渡フレームに一体に固定されており、固定構造によって掛渡フレームを開口部に固定することで、前記扉体が両側のフレーム部材に対向し該掛渡フレーム下方の開口部の少なくとも一部を覆って装着されることを特徴とする。
【０００７】
この構成によれば、固定構造の突起部を係合部に係合させるだけで、開口部に掛渡フレームが固定されるので、掛渡フレームの着脱を簡単に行うことができる。よって、キャビネット内に収納された機器の取り出し作業など、掛渡フレームの着脱を伴う作業の効率を向上させることができる。また、扉体の着脱を掛渡フレームの着脱だけで行うことができるので、扉体の着脱作業が簡素化される。よって、キャビネットに収納された機器を緊急にメンテナンスする必要がある場合などに、扉体の着脱を容易且つ迅速に行うことができる。これらにより、収納された機器のメンテナンス性を向上させることができるキャビネットとなる。
【０００８】
また、上記構成のキャビネットにおいて、固定構造は、前記開口部の両側のフレーム部材に設けた一対の突起部と、掛渡フレームの両端部に設けた一対の係合部とで構成され、係合部は、掛渡フレームの端部に形成された凹状溝部からなる。
【０００９】
また、上記構成のキャビネットにおいて、掛渡フレームは、その長手方向に沿う少なくとも２つの面を有するアングル材である。
【００１０】
この構成によれば、掛渡フレームの着脱操作を容易且つ迅速に行うことができる固定構造を、簡単な構成で安価に実現することができる。
【００１１】
また、上記構成のキャビネットにおいて、扉体は、開口部を覆う本体部と、該本体部の面と交差する方向に突出する固定用突出部とを備え、該固定用突出部を前記掛渡フレームに固定することにより、前記扉体と掛渡フレームは一体となってもよい。
【００１２】
この構成によれば、簡単な構成で、掛渡フレームに扉体を吊り下げた状態でこれらを開口部に装着することができる。
【００１３】
また、上記構成のキャビネットにおいて、扉体と掛渡フレームはそれぞれ別部品として構成されてもよい。
【００１４】
また、上記構成のキャビネットにおいて、扉体は、開口部の掛渡フレームから下側の部分を覆う下扉であり、開口部の掛渡フレームから上側の部分を覆う板状の上扉をさらに備えるようにしてもよい。
【００１５】
この構成によれば、キャビネットの容量が大きく開口部の面積が広い場合に、開口部を覆う扉体を複数枚に分割することで、一枚の扉体の重量を軽くできるので、作業者が一人でも、扉体の着脱作業をスムーズに行えるようになる。したがって、キャビネット内に収納された機器などのメンテナンス性を向上させることができる。
【００１６】
また、本発明の給水装置は、上記構成のキャビネットと、キャビネットの収納部に収納されたポンプ及び配管類とを備えて給水装置を構成する。
【００１７】
この構成によれば、ポンプを緊急停止させる場合などに、扉体を迅速に取り外してキャビネットの開口部を開けることができ、ポンプの交換などの際に掛渡フレームを簡単に取り外すことができるので、メンテナンス性に優れた給水装置となる。
【発明の効果】
【００１８】
本発明のキャビネット及び該キャビネットを備える給水装置によれば、扉体の着脱や掛渡フレームの着脱を容易且つ迅速に行えるので、キャビネット内に収納した機器のメンテナンス性を向上させることができる。
【発明を実施するための最良の形態】
【００１９】
以下、添付図面を参照して本発明の実施の形態について説明する。図１は、本発明の一実施形態にかかる給水装置が備えるキャビネットを示す分解斜視図である。なお、同図では、キャビネット１０のみを図示し、キャビネット１０内に収納される給水装置の構成機器は図示していない。また、図２は、キャビネット１０の外観構成例を示す図で、（ａ）は正面図、（ｂ）は左側面図、（ｃ）は右側面図である。図３及び図４は、キャビネット１０に構成機器を収納した給水装置１の全体構成例を示す図で、図３は、キャビネット１０の開口部１４から上扉５０と下扉４０とを取り外した状態の概略正面図、図４は、構成機器を収納したキャビネット１０の概略側断面図である。
【００２０】
キャビネット１０は、アングル部材（細板材を幅方向にＬ字状に折り曲げた部材）からなるフレーム部材１１を各辺に配置して直方体状に組み立てた枠体１２と、枠体１２の各面に取り付けた薄板状のカバー部材１３とを備えている。カバー部材１３は、枠体１２の上面、下面、左右両側面、及び背面に取り付けられている。カバー部材１３で囲まれた枠体１２の内部は、給水装置１の構成部品を収納するための収納部１０ａになっている。枠体１２の前面（収納部１０ａの前面）は、長方形状の開口部１４になっている。開口部１４の周囲の四辺は、枠体１２を構成するフレーム部材１１で囲まれている。
【００２１】
さらにこのキャビネット１０は、開口部１４の左右のフレーム部材１１，１１の間に掛け渡される掛渡フレーム３０と、開口部１４の掛渡フレーム３０より下側の部分を覆う下扉４０と、開口部１４の掛渡フレーム３０より上側の部分を覆う上扉５０とを備えている。なお、キャビネット１０を構成する上記の各部品は、ステンレスなどの不錆性の金属材料で構成されている。
【００２２】
掛渡フレーム３０は、キャビネット１０の開口部１４を補強することで枠体１２の歪みを防止する目的と、開口部１４に取り付ける下扉４０を支持する目的との両方の目的で取り付けられる部品である。掛渡フレーム３０は、開口部１４の上下方向の途中位置、詳細には、上下方向の中央部より若干下側の位置に水平に掛け渡される。掛渡フレーム３０は、その長手方向に沿う上壁３１と側壁３２とを備えて横断面形状が略Ｌ字型に形成されたアングル材である。掛渡フレーム３０の長さ寸法は、開口部１４の左右のフレーム部材１１，１１間の幅寸法と略同一の寸法である。また、掛渡フレーム３０の側壁３２の長手方向の中間位置には、後述する上扉５０の突起部５６を挟持するためのローラー部３３が設けられている。
【００２３】
図５は、掛渡フレーム３０を開口部１４に固定するための固定構造５を示す図で、掛渡フレーム３０の端部３０ａと開口部１４のフレーム部材１１とを示す部分拡大図である。固定構造５は、図５及び図１に示すように、開口部１４の左右のフレーム部材１１，１１に設けた突起部１５，１５と、掛渡フレーム３０の両端部３０ａ，３０ａに設けた係合部３４，３４とで構成されている。突起部１５，１５は円柱軸状に形成され、左右のフレーム部材１１，１１の内側面から開口部１４の内側に向かってその軸方向が水平方向に突出している。一方、係合部３４は、掛渡フレーム３０の端部３０ａに上壁３１と側壁３２と上壁３１の下面に設けた小突起片３１ａとで形成された凹状溝部からなっている。掛渡フレーム３０を開口部１４に固定するには、係合部３４，３４の凹状溝部に突起部１５，１５が挿入されるように上方から掛渡フレーム３０を被せることにより固定する。すなわち、掛渡フレーム３０は、両端部３０ａ，３０ａの係合部３４，３４が突起部１５，１５の上に載置された状態で開口部１４に固定される。
【００２４】
下扉４０は、開口部１４の掛渡フレーム３０より下側の部分を覆う扉体である。下扉４０は、図１に示すように、略長方形の平板状に形成された本体部４１と、該本体部４１の上端辺に沿って本体部４１の面と直交する方向に突出する固定用突出部４２とを一体に備えている。固定用突出部４２には、所定間隔で複数個の挿通穴４３（図５参照）が形成されている。挿通穴４３は、下扉４０を掛渡フレーム３０に固定するためのビス４４を挿通させるものである。
【００２５】
また、本体部４１における固定用突出部４２の下側には、上扉５０の下端辺が重ね合わされる段部４５が形成されている。段部４５の上方には、掛渡フレーム３０のローラー部３３を露出させるための開口部４６が形成されている。一方、本体部４１の略中央部には、開口に透明な板材を装着してなる漏水用点検窓４７が設けられている。本体部４１の下端辺に沿う位置には、ビス４９を挿通させる挿通穴４８が形成されている。ビス４９は、下扉４０の下端を開口部１４の下辺のフレーム部材１１に固定するためのものである。なお、ビス４９には、工具などを使用せずに手で取り付け取り外しが可能なビスを用いることが望ましい。
【００２６】
上扉５０は、開口部１４の掛渡フレーム３０より上側の部分を覆う扉体である。上扉５０は、略長方形の平板状に形成された本体部５１と、該本体部５１の上端辺に沿って本体部５１の面と直交する方向に突出する固定用突出部５２とを一体に備えて構成されている。固定用突出部５２の下面の先端辺に沿う位置には、下方に突出する突起辺５３が設けられている。突起辺５３は、上扉５０を開口部１４に装着する際に、キャビネット１０の上面の前端辺に形成された突起辺１６に掛けられる。
【００２７】
一方、上扉５０の本体部５１の上部には、開口に透明な板材を装着してなる表示器点検窓５４が設けられている。本体部５１の下部の左右には、窪み状の取手部５５，５５が形成されている。本体部５１の下端辺近傍の裏面側には、掛渡フレーム３０のローラー部３３に挟持される突起部５６が形成されている。ローラー部３３と突起部５６とで上扉５０の下端を掛渡フレーム３０に固定するためのローラーキャッチ６０が構成されている。
【００２８】
次に、キャビネット１０内に収納された給水装置１の構成機器について簡単に説明する。図３及び図４に示すように、キャビネット１０の収納部１０ａには、ポンプＰ１，Ｐ２，Ｐ３が並列に設置されている。各ポンプＰ１，Ｐ２，Ｐ３の上部には、それぞれモータＭ１，Ｍ２，Ｍ３が一体に取り付けられている。また、ポンプＰ１，Ｐ２，Ｐ３の周辺には、ポンプＰ１，Ｐ２，Ｐ３に接続される配管や該配管に取り付けられた圧力センサや各種弁や圧力タンクなどの機器（以下、「配管類」という）７０が設置されている。一方、収納部１０ａ内の上部には、インバータ装置８２や制御盤８３などの電気機器類が設置されている。
【００２９】
配管類７０は、吸込管７３、逆流防止器７４、吸込曲管７６、吐出ヘッダ７７、吐出曲管７８、吐出合流管７９、圧力タンク８１などを備えている。吸込管７３は、その流入端が水道本管（図示せず）に接続される吸込口７１になっていて、流出端が仕切弁８６を介して逆流防止器７４に接続されている。逆流防止器７４の流出端は、仕切弁８７を介して吸込曲管７６に接続されている。吸込曲管７６の流出端は、吸込ヘッダ（図示せず）に接続されている。吸込ヘッダの流出端は、各ポンプＰ１，Ｐ２，Ｐ３の吸込口と吐出合流管７９とに連通している。
【００３０】
ポンプＰ１，Ｐ２，Ｐ３の吐出口には、それぞれ吐出管９１，９２，９３が接続され、各吐出管９１，９２，９３はそれぞれボールチェッキ弁Ｂ１，Ｂ２，Ｂ３を介して吐出ヘッダ７７に接続されている。また、各吐出管９１，９２，９３には、それぞれフロースイッチ９４，９５，９６が設けられている。
【００３１】
吐出ヘッダ７７の一端は閉止フランジ９７で閉じられ、他端は吐出曲管７８に接続されている。吐出曲管７８の流出端は二手に分岐している吐出合流管７９の一方の流入端に接続されている。吐出合流管７９の他方の流入端には、吸込ヘッダの下流側に設けた逆流防止弁（図示せず）が接続されている。吐出合流管７９の流出端は吐出口７２になっている。圧力タンク８１は、接続管９９を介して吐出合流管７９に接続されている。一方、仕切弁８６の流入口には、吸込側の水圧を検出する圧力センサ８８が設けられ、吐出ヘッダ７７には、吐出側の水圧を検出する圧力センサ８９が設けられている。
【００３２】
上記のポンプＰ１，Ｐ２，Ｐ３と配管類７０とは、収納部１０ａ内で架台８４に搭載されている。架台８４の内部にはドレンパン８５が設置されている。掛渡フレーム３０は、ポンプＰ１，Ｐ２，Ｐ３の前面側に水平に掛け渡されて固定される。なお、図３では、収納部１０ａに収納されたポンプＰ１，Ｐ２，Ｐ３や配管類７０と掛渡フレーム３０との位置関係を示すため、開口部１４から下扉４０を取り外して掛渡フレーム３０だけを取り付けた状態を示しているが、実際は、掛渡フレーム３０と下扉４０とは一体に固定された状態で開口部１４に取り付けられる。
【００３３】
なお、図２に示すように、キャビネット１０の左右の側面には、キャビネット１０内に冷却用の空気を流通させる通気口２１，２２や、吸込口７１と吐出口７２とを同図に示す側とは反対側の側面に突出させる場合に用いる開口に取り付けた閉止板２４，２６や、ドレンパン８５に溜まった水を排水するための排水口２７，２８などが設けられている。
【００３４】
次に、上記構成の給水装置１において、キャビネット１０の開口部１４に掛渡フレーム３０と下扉４０と上扉５０とを取り付ける手順を説明する。まず、あらかじめ掛渡フレーム３０と下扉４０とを一体に固定しておく。これには、下扉４０の固定用突出部４２を掛渡フレーム３０の上壁３１の上に載置する。その状態でビス４４によって掛渡フレーム３０と下扉４０とを一体に固定する。次に、掛渡フレーム３０の係合部３４，３４を開口部１４の突起部１５，１５に係合させることで、掛渡フレーム３０を左右のフレーム部材１１，１１の間に固定する。これにより、掛渡フレーム３０に固定された下扉４０が突起部１５，１５に吊り下げられた状態で開口部１４に装着される。その後、下扉４０の下端をビス４９でフレーム部材１１に固定する。
【００３５】
次に、上扉５０を取り付ける。それには、キャビネット１０の上面に設けた突起辺１６に上扉５０の突起辺５３を引っ掛ける。その状態で、突起辺５３を支点に上扉５０の下端を開口部１４の方に回動させて、本体部５１を掛渡フレーム３０より上側の開口部１４に被せてゆく。本体部５１が開口部１４に完全に被さる際に、ローラーキャッチ６０の突起部５６がローラー部３３に挿入されることで、上扉５０の下端が固定される。これにより、上扉５０が掛渡フレーム３０から上側の開口部１４を覆う状態で取り付けられる。なお、下扉４０と掛渡フレーム３０と上扉５０とを開口部１４から取り外すには、上記の手順を逆に行えばよい。
【００３６】
本実施形態のキャビネット１０によれば、掛渡フレーム３０の係合部３４，３４を突起部１５，１５に載置した状態で係合させるだけで、開口部１４に掛渡フレーム３０を固定することができる。したがって、掛渡フレーム３０の固定にビスなどの固定具が必要なくなるので、掛渡フレーム３０の着脱を容易且つ迅速に行えるようになる。これにより、キャビネット１０内のポンプＰ１，Ｐ２，Ｐ３や配管類７０の取り出し作業の効率を向上させることができる。
【００３７】
また、キャビネット１０内のポンプＰ１，Ｐ２，Ｐ３や配管類７０を点検する場合や、ポンプＰ１，Ｐ２，Ｐ３の運転を緊急に停止させる場合に、下扉４０を取り外して開口部１４の下部を開ける必要がある。従来は、掛渡フレーム３０を開口部１４の左右のフレーム部材１１，１１にビスで固定した上で、さらに下扉４０を掛渡フレーム３０に対してビスで固定していた。このため、開口部１４の下部を開けるには、これらのビスを取り外さなければならなかった。これに対して、本実施形態のキャビネット１０によれば、下扉４０の着脱を掛渡フレーム３０の固定構造５の着脱だけで行うことができるので、下扉４０を容易且つ迅速に着脱できる。したがって、給水装置１のメンテナンス性を向上させることができる。特に、固定構造５では、係合部３４，３４を突起部１５，１５に係合させるだけで、下扉４０を開口部１４に吊り下げた状態で固定できるので、下扉４０の着脱が非常に簡単になる。
【００３８】
上記のキャビネット１０では、掛渡フレーム３０はある程度の強度を持たせる必要があるため、厚み寸法が比較的厚い板材で構成する必要がある。その一方で、下扉４０は軽量化を図るために、掛渡フレーム３０よりも厚み寸法が薄い板材で構成する必要がある。そのため、上記実施形態では、掛渡フレーム３０と下扉４０とを別の部品として構成し、これらをビス４４で一体に固定している。しかしながら、掛渡フレーム３０の強度維持と下扉４０の軽量化との両方を許容範囲で実現できるのであれば、掛渡フレーム３０と下扉４０とを一体の部品とすることも可能である。
【００３９】
また、上記実施形態において、下扉４０の下端を開口部１４のフレーム部材１１に固定するビス４９に代えて、他の簡易な固定手段（例えば、上扉５０の下端を固定するローラーキャッチ６０と同様の固定手段）を採用することも可能である。
【００４０】
上記実施形態のキャビネット１０が備える固定構造５では、開口部１４の両側のフレーム部材１１，１１に突起部１５，１５を設け、掛渡フレーム３０の両端部３０ａ，３０ａに凹状溝部の係合部３４，３４を設けた場合を説明したが、本発明の固定構造としては、図示は省略するが、上記とは逆に、掛渡フレームの両端部に突起部を設け、開口部の両側のフレーム部材に係合部を設けるようにしてもよい。その場合は、開口部の両側のフレーム部材に設ける係合部の形状を例えば下側に窪む凹部状に形成するなどして、掛渡フレームの突起部を開口部の係合部に載置した状態で係合させることができるようにする。こうすることで、上記実施形態と同様に、掛渡フレームと下扉とを開口部に吊り下げた（引っ掛けた）状態で固定することが可能となる。
【００４１】
上記実施形態では、扉体を上扉５０と下扉４０の二枚に分割した場合を説明したが、開口部１４に取り付ける扉体の枚数は二枚には限定されず、一枚、あるいは三枚以上であってもよい。また、扉体を複数に分割する場合でも、分割の仕方は上下に分割するだけでなく、他の方法で分割してもよい。
【００４２】
また、上記実施形態で示した掛渡フレーム３０の固定構造が備える突起部と係合部の具体的な構成は一例である。本発明にかかる掛渡フレームの固定構造としては、上記以外にも、掛渡フレームを開口部に掛け渡した状態で固定することができる構造であれば、係合部や突起部の具体的な構成は他の構成であってもよい。
【００４３】
また、上記実施形態では、本発明のキャビネットを給水装置１に用いた場合を説明したが、本発明のキャビネットは、給水装置１以外の他の装置のキャビネットとして用いることも可能である。特に、前面に開口部を有し、該開口部の大きさから該開口部に取り付ける扉体を複数枚に分割しなければならないキャビネットを備える比較的大型の装置や、扉体を迅速に着脱して内部の機器にアクセスする必要がある装置のキャビネットに用いると好適である。
【００４４】
以上、本発明の実施形態を説明したが、本発明は上記実施形態に限定されるものではなく、特許請求の範囲、及び明細書と図面に記載された技術的思想の範囲内において種々の変形が可能である。また、直接明細書及び図面に記載のない何れの形状・構造・材質であっても、本願発明の作用・効果を奏する以上、本願発明の技術的思想の範囲内である。
【図面の簡単な説明】
【００４５】
【図１】本発明の一実施形態にかかる給水装置が備えるキャビネットの分解斜視図である。
【図２】キャビネットの外観構成例を示す図で、（ａ）は正面図、（ｂ）は左側面図、（ｃ）は右側面図である。
【図３】構成機器を収納したキャビネットから上扉と下扉とを取り外した状態を示す概略正面図である。
【図４】構成機器を収納したキャビネットの概略側断面図である。
【図５】掛渡フレームを開口部に固定する固定構造を示す部分拡大図である。
【符号の説明】
【００４６】
１      給水装置
５      固定構造
１０    キャビネット
１０ａ  収納部
１１    フレーム部材
１２    枠体
１３    カバー部材
１４    開口部
１５    突起部
３０    掛渡フレーム
３０ａ  端部
３１    上壁
３１ａ  小突起片
３２    側壁
３４    係合部
４０    下扉
４１    本体部
４２    固定用突出部
５０    上扉
５１    本体部
５２    固定用突出部
６０    ローラーキャッチ
７０    配管類
Ｐ１，Ｐ２，Ｐ３  ポンプ
【図１】
0005208457.tif 000002
【図２】
0005208457.tif 000003
【図３】
0005208457.tif 000004
【図４】
0005208457.tif 000005
【図５】
0005208457.tif 000006